(57)【特許請求の範囲】
【請求項１】
玄米受ホッパー（１）に玄米を供給し、コインメック（２）に精米料金を投入することによって、投入料金分の運転時間にわたって自動精米する料金式精米設備において、
運転時間は百円単位と十円単位で設定可能とし、
十円単位毎の運転は、百円単位毎による精米運転を開始し、該百円単位毎の運転時間の経過による運転停止時に玄米受ホッパー（１）に設ける玄米有無検出センサ（１１）が玄米有りを検出しているときに新たな料金を投入した場合、又は、精米運転開始前に百円硬貨と十円硬貨を共に投入し、精米運転開始後に百円単位毎の運転時間が経過した場合に可能とし、
精米運転開始時は、十円単位毎の運転は不可とする制御装置（１７）を設けることを特徴とする料金式精米設備。
【発明の詳細な説明】
【技術分野】
【０００１】
所定の精米料金をコインメックに投入することによって自動的に精米運転を行う料金式精米設備に関する。
【背景技術】
【０００２】
料金式精米設備において、精米料金を百円単位毎に精米運転する形態（例えば、特許文献１参照）や、十円単位毎に精米運転可能とする形態（例えば、特許文献２参照）が知られている。
【先行技術文献】
【特許文献】
【０００３】
【特許文献１】特開２００７ー１４４３０９号公報（第１頁、図６）。
【特許文献２】特開昭５８ー１５８７９３号公報（第１頁、図２）。
【発明の概要】
【発明が解決しようとする課題】
【０００４】
百円単位の精米料金を投入して百円単位毎の精米運転を行う形態では、料金不足等で少量の残玄米を精米することになった場合に、釣銭が出ない場合は不経済となる。又、単に十円単位の精米料金を投入して精米運転できる形態とすれば、十円単位毎の料金投入を多数回繰返して、小刻みな精米起動、停止の運転を継続することがあって、精米機の耐久性が悪くなる。
【課題を解決するための手段】
【０００５】
請求項１に記載の発明は、玄米受ホッパー（１）に玄米を供給し、コインメック（２）に精米料金を投入することによって、投入料金分の運転時間にわたって自動精米する料金式精米設備において、運転時間は百円単位と十円単位で設定可能とし、十円単位毎の運転は、百円単位毎による精米運転を開始し、該百円単位毎の運転時間の経過による運転停止時に玄米受ホッパー（１）に設ける玄米有無検出センサ（１１）が玄米有りを検出しているときに新たな料金を投入した場合、又は、精米運転開始前に百円硬貨と十円硬貨を共に投入し、精米運転開始後に百円単位毎の運転時間が経過した場合に可能とし、精米運転開始時は、十円単位毎の運転は不可とする制御装置（１７）を設けることを特徴とする料金式精米設備に構成する。
【０００６】
【０００７】
【０００８】
【０００９】
【発明の効果】
【００１０】
請求項１に記載の発明は、玄米受ホッパー（１）に玄米を供給し、コインメック（２）に精米料金を投入することによって、投入料金分の運転時間にわたって自動精米する料金式精米設備において、運転時間は百円単位と十円単位で設定可能とし、十円単位毎の運転は、百円単位毎による精米運転を開始し、該百円単位毎の運転時間の経過による運転停止時に玄米受ホッパー（１）に設ける玄米有無検出センサ（１１）が玄米有りを検出しているときに新たな料金を投入した場合、又は、精米運転開始前に百円硬貨と十円硬貨を共に投入し、精米運転開始後に百円単位毎の運転時間が経過した場合に可能とし、精米運転開始時は、十円単位毎の運転は不可とする制御装置（１７）を設けることで、精米利用者が精米運転の開始時から十円単位毎の精米運転の起動、停止を小刻みに頻繁に繰返すような運転をなくして、精米機の故障を少なくし、耐久性を高めることができる。又、精米料金が不足したり、供給玄米量が少量残留したとき等においては、百円単位毎による精米運転の停止した後で、十円単位毎による残玄米量の精米運転を行うことができ、効率的で経済的な精米処理を行うことができる。
【００１１】
【００１２】
【図面の簡単な説明】
【００１３】
【図１】精米設備のブロック図。
【図２】精米運転のタイムチャート。
【図３】精米運転のフローチャート。
【図４】精米運転のフローチャート。
【図５】精米設備を正面側から示す図。
【図６】精米設備の処理経路を示すブロック図。
【図７】精白度選択スイッチの別例を示す正面図。
【発明を実施するための最良の形態】
【００１４】
図面に基づいて、料金式精米設備は、運転室側の正面に、操作盤４、及びコインメック２を配置し、この左側に利用者が持参した玄米を供給する玄米受ホッパー１を設け、右側に精米を完了した白米を受ける白米ホッパー５を設ける。この運転室３の奥側の機械室６には、前記玄受ホッパー１から搬送される玄米を石抜き粗選別する選別装置７、この選別装置７から搬送される選別玄米を精米する精米装置８、及びこの精米装置８で除糠した糠を袋詰処理する糠処理装置９等を配置する。
【００１５】
前記玄米受ホッパー１には、玄米繰出用のロータリバルブ１０、及びこのホッパー１の玄米の有無を検出する玄米有無センサ１１を設ける。このロータリバルブ１０の回転によって繰出される玄米は昇穀機１２を介して選別装置７へ搬送供給される。この選別装置７で石抜き、及びわら屑等を選別除去した玄米を、昇穀機１３を介して精米装置８の前工程に設ける精米ホッパー１４へ搬送供給して一時貯留する。そして、該玄米を順次精米装置８に供給して精米を行わせることができる。この精米装置８で精米されて取出される白米は、前記白米ホッパー５に受けられ、前記除糠は吸引ブロワーや、サイクロン等からなる糠処理装置９へ排出されて、袋詰処理される。
【００１６】
又、前記操作盤４には、精白度を設定する精白度選択スイッチ１６を設け、コインメック２には、コイン投入口２6や釣銭等のコイン返却口１５等を設けている。前記コインメック２や、精白度選択スイッチ１６、及び玄米有無センサ１１等は、制御装置（コントローラ）１７の入力側に配置されて、前記ロータリバルブ１０や、昇穀機１２、選別装置７、昇穀機１３、精米装置８、及び糠処理装置９等を出力作動させるものである。
【００１７】
ここにおいて、この制御装置１７は、玄米受ホッパー１に所定量の玄米を供給し、コインメック２に所定の精米料金を投入することによって自動精米する料金式精米設備において、精米運転開始時は百円単位毎の精米運転を行い、料金切れで精米運転が途中で停止した場合は、十円単位毎の精米運転を行えるように構成する。
【００１８】
玄米受ホッパー１に目的量の玄米を供給して、この玄米量に応じた料金をコインメック２に投入することによって精米運転が開始される。この精米料金は、供給玄米量に応じた百円単位にして投入することとなる。従って、この精米運転が行われた後の途中で料金切れを生じて精米運転が一旦停止したときは、百円単位、又は十円単位毎の料金をコインメック２に追加投入することによって、残量の玄米の精米運転を行うことができる。このときの精米時間は、十円単位毎の精米料金で運転処理される。
【００１９】
次に精米運転の工程について図２一Ａ及び図３に基づく精米運転について説明する。
図２一Ａ及び図３は、最初の百円単位毎の料金を投入して精米運転を行い、その後料金切れによって精米処理を停止したときは、十円単位の料金を投入して残量の精米運転を行う場合で、百円単位毎の精米が三百円分の運転時間にわたって行われ、その後料金切れによって運転停止した後、十円単位の料金が投入すると再起動し、十円単位毎の精米が二十円分の運転時間にわたって行われて、玄米受けホッパー１に供給の玄米が精米されたものである。
【００２０】
詳述すると、まず、コインメック２に所定の百円単位の精米料金（例えば三百円）を投入し、次いで、玄米受ホッパー１に持参した玄米を供給し、精白度選択スイッチ１６を投入することによって各装置が起動して精米運転を開始する。
【００２１】
そして、三百円分の運転時間が経過した時に、穀物有無センサ１１が穀物有り（穀物有無センサＯＮ）を検出しているときには料金切れで装置各部が即時停止する。そして、このとき、十円単位（例えば五十円）の料金を投入すると、再起動して投入料金に対応する運転時間、精米運転を行なうのである。
【００２２】
もちろんここで十円単位ではなく百円単位を投入して再起動しても良く、この場合に、穀物有無センサ１１が穀物無しを検出（穀物有無センサＯＦＦ）したときに百円以下の運転時間で終了したときには図３には記載していないが差額を演算して釣銭をコイン返却口１５から返却するようにしても良い。
【００２３】
次に、図２一Ｂは及び図４に基づく精米運転について説明する。
精米運転を開始するとき、百円単位の精米料金に、十円単位の精米料金を組合せて（例えば三百二十円）コインメック２に投入して行う精米運転は、まず百円単位毎の精米運転を経過すると、十円単位毎の精米運転に切替えて連続して運転するように構成する。
【００２４】
詳述すると、まず、コインメック２に所定の百円単位と十円単位の精米料金（例えば三百二十円）を投入し、次いで、玄米受ホッパー１に持参した玄米を供給し、精白度選択スイッチ１６を投入することによって各装置が起動して精米運転を開始する。
【００２５】
このとき、精米運転は百円単位毎の精米時間にわたり行われて、この百円単位毎の精米運転時間が経過すると、続いて十円単位毎の精米運転に切替えて行われる。従って、精米利用者は、最初から精米を行う玄米量に応じて必要以上の精米料金を用意してコインメック２に投入しておくことによって、最初は百円単位毎の精米処理を行って、その後に、少量の残留玄米、乃至端数量の玄米を十円単位毎の料金で精米することができる。
【００２６】
また、料金に対応する運転時間を経過する前に玄米受ホッパ１の玄米を精米処理した場合は、図４には記載していないが差額を演算して釣銭をコイン返却口１５から返却するようにしても良い。
【００２７】
なお、図３及び後述の図４のフローチャートにおいて、終了精米動作とは、玄米受ホッパー１の玄米有無センサ１１が玄米無しを検出すると、所定時間後にロータバルブ１０を先ず停止して、次に昇穀機１２、選別装置７を順次停止し、最後に残米を精米装置８で精米処理した後に、これら精米装置８等全部を順次停止処理する制御動作のことである。又、料金切れ途中停止とは各装置が同時に即時停止する制御のことである。
【００２８】
なお、このとき、投入料金が多過ぎるときは、十円単位の釣銭が返却処理される。
前記のように、最初は、精米運転目的の供給玄米量に応じた百円単位毎の料金を投入して、精米運転を開始して玄米受ホッパー１に投入した玄米の精米を終えた後に、残余の百円単位毎の料金、又は十円単位毎の料金を残すこととなったときは、精算に基づいてこの残余の料金を釣銭として返却処理する。このため、精米開始時から小刻みに度々運転の起動、停止を繰返えすことはなく、機械の損傷を少くし、耐久性を高く維持すると共に、精米実行量に応じた適切な料金制御を行う。
【００２９】
前記のように、百円単位毎の精米、又はこれに十円単位毎の精米を組合わせて行う精米運転において、少くとも百円単位毎の精米処理を行った後における精米投入料金に残余料金があるときは、これを釣銭として自動的返却処理する。このような百円単位毎、又は十円単位毎のコインは、通常は百円硬貨や、十円硬貨等を用いて、コインメック２で精算処理する形態とするもよい。従って、十円単位毎の精米を行うにあたり、百円硬貨を投入しても、精米後に残金があることとなったときは、十円硬貨による釣銭が出ることとなる。このため一度に持参する玄米量が１０ｋｇ前後の比較的少量の玄米を精米することも多い都市部でのコイン精米機においても便利に使用できる。
【００３０】
又、コインに代えて、前記操作盤４にカード差込口（又は、キースイッチ、隠しスイッチ等も可能）を設け、この差込口にカードを差し込むことにより、料金を投入しないで自動精米運転が可能とする。カードは、オーナ用確認モードのための暗証番号や、バーコード等を符したものである。
【００３１】
次に、図７に基づいて、精白度選択スイッチ１６の実施例を示すもので、回動、及び押込操作できるノッチ形態のスイッチボタン２０を分搗ラベル２１の中心部に設け、この回動外周部域に精白度（分搗）スイッチの配置位置を表示する各分搗の１分搗ラベル２１、３分搗ラベル２２、５分搗ラベル２３、及び７分搗ラベル２４等を配置する。精米を例えば３分搗で行うときは、スイッチボタン２０の指示マーク２５を、この３分搗ラベル２２位置に指示するように回動させて、このスイッチボタン２０を押すことによって、この３分搗の精白度による精米処理が指定される。
【符号の説明】
【００３２】
１  玄米受ホッパー
２  コインメック
１７  制御装置
【図１】
0005540661.tif 000002
【図２】
0005540661.tif 000003
【図３】
0005540661.tif 000004
【図４】
0005540661.tif 000005
【図５】
0005540661.tif 000006
【図６】
0005540661.tif 000007
【図７】
0005540661.tif 000008